(57)【要約】【課題】施工の安全性が高く、施工効率の良い補強盛土壁の構築方法を提供すること。【解決手段】本願の補強盛土壁の構築方法は、斜面の前面に沿って階段状に配置した複数の土のうからなる暫定盛土壁を撤去しつつ、同時に斜面に補強盛土壁を構築する補強盛土壁の構築方法であって、土のうの前面に沿って連続して柵を設置する柵設置工程と、柵の内側に盛土材を充填し、盛土材の一部または全部に土のうの中詰材を転用する盛土材充填工程と、を有し、暫定盛土壁の下段から上段へ向けて各工程を繰り返して補強盛土壁を構築することを特徴とする。【選択図】図１
2017082506.tif 000002
【特許請求の範囲】
【請求項１】
斜面の前面に沿って階段状に配置した複数の土のうからなる暫定盛土壁を撤去しつつ、同時に前記斜面に補強盛土壁を構築する、補強盛土壁の構築方法であって、
前記土のうの前面に沿って連続して柵を設置する、柵設置工程と、
前記柵の内側に盛土材を充填し、前記盛土材の一部または全部に前記土のうの中詰材を転用する、盛土材充填工程と、を有し、
前記暫定盛土壁の下段から上段へ向けて前記各工程を繰り返して補強盛土壁を構築することを特徴とする、
補強盛土壁の構築方法。
【請求項２】
前記柵設置工程は、前記土のうの前面に複数の支柱杭を打設する工程と、前記支柱杭に沿って壁面材を立設する工程と、前記壁面材を前記支柱杭に連結する工程と、を含むことを特徴とする、請求項１に記載の補強盛土壁の構築方法。
【請求項３】
前記盛土材充填工程において、前記土のうの外装を切削して前記中詰材を取り出すことを特徴とする、請求項１または２に記載の補強盛土壁の構築方法。
【請求項４】
前記盛土材充填工程の次に、前記盛土材を転圧する転圧工程を含むことを特徴とする、請求項１乃至３のいずれか一項に記載の補強盛土壁の構築方法。
【発明の詳細な説明】
【技術分野】
【０００１】
本発明は、補強盛土壁の構築方法に係り、特に既設の暫定盛土壁を撤去しつつ、同一斜面に恒久対策としての補強盛土壁を構築する、補強盛土壁の構築方法に係る。
【背景技術】
【０００２】
大雨等により地滑りが発生した場合、まずは地滑りを鎮静化させ、斜面の一時的な保全を図るため、応急対策工を行う。
応急対策工には、崩壊斜面の前面に大型土のうを積み上げて暫定盛土壁を構築する工法がある。暫定盛土壁で斜面を被覆することで、押さえ盛土効果による地滑りの鎮静化を図る。
応急対策工の後、本格的な現地調査と詳細設計を行い、恒久対策としての補強盛土壁を構築する。
【０００３】
従来技術では、一度暫定盛土壁を撤去してから、補強盛土壁を構築していた。具体的には、例えば次のような工程で施工していた。
＜１＞大型土のうを撤去して斜面を露出させる。
＜２＞斜面に土留め杭を打設する。
＜３＞斜面にモルタルを吹付け基礎地盤を構築する。
＜４＞斜面の安定性に応じて抑止工や法面工を行う。
【先行技術文献】
【特許文献】
【０００４】
【非特許文献１】「耐候性大型土のう積層工法」設計・施工マニュアル（一般財団法人・土木研究センター）
【発明の概要】
【発明が解決しようとする課題】
【０００５】
しかし、従来技術には次のような欠点があった。
＜１＞斜面から一時的に全ての大型土のうを撤去するため、後続する工程を不安定な斜面の下で施工する必要がある。よって、施工の安全性が確保できない。
また、崩壊斜面はもともと地盤が不安定で水の溜まりやすい地形が多いため、安全性を確保するため少量の降雨でも施工を中止しなければならない。よって、施工効率が悪い。
＜２＞暫定盛土壁を撤去した後に、同一の斜面に補強盛土壁を構築するため、工程や材料の無駄が多い。
＜３＞撤去した多数の大型土のうは産業廃棄物となるため、環境への負荷が大きい。
＜４＞土のう袋は紫外線や流水の影響で劣化しやすいため、時間がたつと土のう袋が破損して撤去が困難になることがある。
【０００６】
本発明の目的は、これらの課題を解決する、補強盛土壁の構築方法を提供することにある。
【課題を解決するための手段】
【０００７】
上記のような課題を解決するための本発明の補強盛土壁の構築方法は、斜面の前面に沿って階段状に配置した複数の土のうからなる暫定盛土壁を撤去しつつ、同時に斜面に補強盛土壁を構築する、補強盛土壁の構築方法であって、土のうの前面に沿って連続して柵を設置する、柵設置工程と、柵の内側に盛土材を充填し、盛土材の一部または全部に土のうの中詰材を転用する、盛土材充填工程と、を有し、暫定盛土壁の下段から上段へ向けて各工程を繰り返して補強盛土壁を構築することを特徴とする。
【０００８】
本発明の補強盛土壁の構築方法は、柵設置工程が、土のうの前面に複数の支柱杭を打設する工程と、支柱杭に沿って壁面材を立設する工程と、壁面材を支柱杭に連結する工程と、を含むことが望ましい。
【０００９】
本発明の補強盛土壁の構築方法は、盛土材充填工程において、土のうの外装を切削して中詰材を取り出すことが望ましい。
【００１０】
本発明の補強盛土壁の構築方法は、盛土材充填工程の次に、盛土材を転圧する転圧工程を含むことが望ましい。
【発明の効果】
【００１１】
本発明の補強盛土壁の構築方法は、以上の構成を有するため、次の効果の少なくともひとつを備える。
＜１＞大型土のうを撤去せず、中詰材をそのまま盛土材として利用するため、斜面の安定性を確保したまま施工することができる。よって、施工の安全性が高い。
＜２＞応急対策としての暫定盛土壁の構造の一部を有効利用して、恒久対策としての補強盛土壁を構築できる。よって、施工効率が良い。
＜３＞大型土のうの中詰材を利用するため、産業廃棄物の発生量が少ない。よって、環境への負荷が少ない。
＜４＞中詰材を土のう袋から取り出してその場で再利用するため、土のう袋の強度を考慮する必要が少ない。よって材料コストを下げることができる。
【図面の簡単な説明】
【００１２】
【図１】本発明に係る補強盛土壁の構築方法の説明図。
【図２】暫定盛土層の説明図。
【図３】本発明に係る補強盛土壁の構築方法の実施例の説明図。
【図４】本発明に係る補強盛土壁の構築方法の実施例の説明図。
【発明を実施するための形態】
【００１３】
以下、図面を参照しながら本発明の補強盛土壁とその構築方法について詳細に説明する。
【実施例１】
【００１４】
[補強盛土壁]
＜１＞全体の構成。
本発明の補強盛土壁１は、斜面Ｓに構築した複数の盛土層１ａからなる階段状の構造物である（図１）。
各盛土層１ａは斜面Ｓの前面に設置した柵１０の内側に、盛土材２０を充填してなる。
【００１５】
＜２＞柵。
柵１０は、各盛土層１ａの前面を区画する部材である。
柵１０は、斜面Ｓの前面に連続して立設した壁面材１２を、地盤に打設した支柱杭１１で支持してなる。
【００１６】
＜２．１＞支柱杭。
支柱杭１１は、壁面材１２を支持する杭材である。
支柱杭１１には鉄筋アンカーを採用する。但し、これに限らず鋼管杭や木杭など、公知の各種の杭材を採用できる。
【００１７】
＜２．２＞壁面材。
壁面材１２は、盛土材２０の流出を防ぐ面材である。
壁面材１２にはエキスパンドメタルを採用する。エキスパンドメタルは排水性に優れる上、軽量で取り扱いが容易で、かつ、支柱杭１１との連結も容易である。但し、これに限られず、その他の公知の面材を採用することができる。
壁面材１２の高さは大型土のうａの高さに対応させることができる。
壁面材１２にエキスパンドメタル等の網体を採用する場合には、盛土材２０の流失を防止するため、その裏面に養生マット等の吸出し防止材を貼り付けておく。
【００１８】
＜３＞盛土材。
盛土材２０は、各盛土層１ａの内部に充填する資材である。盛土材２０には土砂や採石を用いる。
後述するように、盛土材２０の一部または全部には、大型土のうａの中詰材ａ１を流用する。
【００１９】
[補強盛土壁の構築方法]
＜１＞前提条件。
本発明の補強盛土壁の構築方法は、既設の暫定盛土壁Ａを撤去しつつ、同一斜面に恒久対策としての補強盛土壁１を構築する方法である。
従って、斜面Ｓに暫定盛土壁Ａが構築されている状態を施工の前提とする。
暫定盛土壁Ａは、斜面Ｓの前面に沿って、複数の大型土のうａを階段状に積み上げてなる構造物である（図２）。
【００２０】
＜２＞構築方法の概要。
本発明の補強盛土壁の構築方法は、以下の工程によって盛土層１ａを構築し、これを最下段の盛土層１ａから上段に向かって繰り返し、階段状に積層してなる。
本発明の特徴は、既設の暫定盛土壁Ａを完全に撤去せず、撤去作業と同時に、暫定盛土壁Ａの構造要素を最大限利用しながら、補強盛土壁１を構築する点にある。
【００２１】
＜２．１＞柵の設置。
柵設置工程は、大型土のうａの前面に柵１０を設置する工程である。
暫定盛土壁Ａ最下段の大型土のうａの前面の地盤に、所定の間隔をあけて複数の支柱杭１１を垂直方向に打設する。
続いて、支柱杭１１の斜面Ｓ側に壁面材１２を設置し（図３）、壁面材１２を支柱杭１１に支持させて両者を連結する。連結にはワイヤやコイル等の公知の手段を使用する。
【００２２】
＜２．２＞盛土材の充填。
盛土材充填工程は、柵１０で区画した斜面Ｓ前面の空間に盛土材２０を充填する工程である。
盛土材２０の一部には、大型土のうａの中詰材ａ１を転用する。
柵設置工程にて設置した、柵１０内側の大型土のうａの周囲の空間に盛土材２０を充填する。
続いて、土のう袋ａ２の生地を切削し、中詰材ａ１を残して土のう袋ａ２を盛土材２０から抜き出す（図４）。土のう袋ａ２は完全に除去できない場合、盛土材２０内に残置してもよい。
中詰材ａ１を周囲の盛土材２０と馴染ませ、均一に敷き均す。
こうして、盛土層１ａが完成する。
本発明の補強盛土壁の構築方法は、盛土材２０の一部に大型土のうａの中詰材ａ１を転用するため、従来の工法に比べて、盛土材の投入量を大幅に削減することができる。
また、大型土のうａの撤去作業と盛土層１ａの構築を同時に行うため、斜面Ｓの安定性を確保しながら大型土のうａを撤去できる。
【００２３】
＜２．３＞盛土材の転圧。
転圧工程は、柵１０の内側の盛土材２０を締め固める工程である。
盛土層１ａの盛土材２０をランマ―等を使用して転圧する。盛土材２０を締め固めることで土の強度を上げて盛土層１ａの安定性を高める。
なお、盛土材２０の転圧は必須の工程ではない。
【００２４】
＜２．４＞作業の繰り返し。
完成した盛土層１ａの直上の大型土のうａに対し、上記＜２．１＞〜＜２．３＞の工程を繰り返し、下層から上層へ向けて盛土層１ａを階段状に構築してゆくことで、補強盛土壁１を完成させる。  
必要に応じて完成した補強盛土壁１を覆土して、アンカーの打設などを行うことで、より強固な構造体を構築することができる。
【実施例２】
【００２５】
[盛土材が中詰材のみからなる例]
引き続き、盛土材充填工程における盛土材２０を中詰材ａ１のみとする、他の実施例について説明する。
本例では、大型土のうａから取り出した中詰材ａ１のみで柵１０内を充填し、盛土材２０を別途投入しない。土のう袋ａ２の撤去後、柵１０内に中詰材ａ１を均一に敷き均す。
本例では、実施例１の効果に加え、盛土材２０の搬入が不要になるため、施工効率と施工コストがより良好になるという、更なる効果を奏する。
【符号の説明】
【００２６】
１    補強盛土壁
１ａ  盛土層
１０  柵
１１  支柱杭
１２  壁面材
２０  盛土材  
Ａ    暫定盛土壁
ａ    大型土のう
ａ１  中詰材
ａ２  土のう袋
Ｓ    斜面
【図１】
2017082506.tif 000003
【図２】
2017082506.tif 000004
【図３】
2017082506.tif 000005
【図４】
2017082506.tif 000006